(57)【特許請求の範囲】
【請求項１】
高周波信号に同調して受信する同調回路と、
前記同調回路の出力信号を中間周波数信号に変換する変換回路と、
前記変換回路から出力された中間周波数信号から受信信号を復調する復調手段と、
から構成される受信機であって、
前記同調回路は、
第１の制御電圧に応じて容量が変化する可変容量ダイオードを備え、該可変容量ダイオードの容量に応じて周波数−ゲイン特性が変化する構成を有し、目的周波数の信号に対し、第１のゲインを有する第１のバンドパスフィルタと、
前記第１のバンドパスフィルタとカスケードに接続され、第２の制御電圧に応じて容量が変化する可変容量ダイオードを備え、該可変容量ダイオードの容量に応じて周波数−ゲイン特性が変化する構成を有し、目的周波数の信号に対し、第２のゲインを有する第２のバンドパスフィルタと、
前記第１のバンドパスフィルタの可変容量ダイオードと前記第２のバンドパスフィルタの可変容量ダイオードとに前記第１と第２の制御電圧を印加する制御手段と、を備え、
前記第１と第２のバンドパスフィルタは、
前記第１と第２のバンドパスフィルタの可変容量ダイオードの容量が互いに同一であって、前記第２のゲインは前記第１のゲイン以下であり、前記第２のバンドパスフィルタの周波数−ゲイン特性は、前記第１のバンドパスフィルタの周波数−ゲイン特性よりも緩やかになる構成を有し、
前記制御手段は、
前記第１のバンドパスフィルタの可変容量ダイオードに、第１の電圧から第２の電圧の範囲内で前記第１の制御電圧を印加し、
前記第２のバンドパスフィルタの可変容量ダイオードに、第１の電圧から第２の電圧の範囲よりも狭い範囲内で前記第２の制御電圧を印加する、
ことを特徴とする受信機。
【請求項２】
前記同調回路の周波数−ゲイン特性は、
前記第２のバンドパスフィルタが前記第１のバンドパスフィルタと同一の周波数−ゲイン特性を有していると仮定した場合に得られる前記同調回路の周波数−ゲイン特性よりも、
目的周波数におけるゲインが小さく、
目的周波数におけるゲインと所定のノイズに対するゲインとの差が大きい、
ことを特徴とする請求項１に記載の受信機。
【請求項３】
前記同調回路は、
前記第１のバンドパスフィルタの信号を増幅して前記第２のバンドパスフィルタに供給する増幅器を更に備える、
ことを特徴とする請求項１又は２に記載の受信機。
【発明の詳細な説明】
【技術分野】
【０００１】
本発明は、高周波同調回路を備える受信機に関する。
【背景技術】
【０００２】
小型で高性能な受信機としてヘテロダイン方式の受信機が広く利用されている。スーパーテロダイン式の受信機は、目的周波数の他にイメージ周波数（影像周波数）をも受信し、受信障害を起こしやすいという特性を有する。
【０００３】
さらなる高性能化のため、高周波同調回路にバリキャプ同調回路を採用したヘテロダイン方式の受信機が知られている（特許文献１、図１）。  
【特許文献１】特開平０５−４８３９２号公報
【発明の開示】
【発明が解決しようとする課題】
【０００４】
しかしながら、バリキャップを受信回路に利用した受信機は、生産・出荷段階で、バリキャップの容量の調整を行わなければならず、その上で、イメージ周波数域の信号の減衰量に着目した調整をすることは効率的でない。このため、受信目的周波数のゲイン最大点が所望の値となるように、バリキャップの容量を調整することが一般的である。
【０００５】
バリキャップを受信回路に利用した受信機広帯域化への要求や温度特性などによる使用デバイスのゲイン低下による受信感度の低下を抑制するため、増幅段を含んだ受信高周波同調回路には、ある程度の余剰ゲインをもたせる。
このため、受信感度最良点のみに基づいた調整では、イメージ妨害比が最良点になるとは限らない。
【０００６】
また、受信感度とイメージ妨害比の両方を見ながらの調整では、調整対象が膨大となって、調整が困難である。
イメージ妨害比に焦点をおいて調整すると、受信感度が最良にならない。
【０００７】
この発明は、上記実情に鑑みてなされたものであり、バリキャップを受信回路に利用しつつも調整が容易で、受信感度及びイメージ妨害比が良好な受信機を提供することを目的とする。
【課題を解決するための手段】
【０００８】
この目的を達成するため、本発明の第１の観点に係る受信機は、
高周波信号に同調して受信する同調回路と、
前記同調回路の出力信号を中間周波数信号に変換する変換回路と、
前記変換回路から出力された中間周波数信号から受信信号を復調する復調手段と、
から構成される受信機であって、
前記同調回路は、
第１の制御電圧に応じて容量が変化する可変容量ダイオードを備え、該可変容量ダイオードの容量に応じて周波数−ゲイン特性が変化する構成を有し、目的周波数の信号に対し、第１のゲインを有する第１のバンドパスフィルタと、
前記第１のバンドパスフィルタとカスケードに接続され、第２の制御電圧に応じて容量が変化する可変容量ダイオードを備え、該可変容量ダイオードの容量に応じて周波数−ゲイン特性が変化する構成を有し、目的周波数の信号に対し、第２のゲインを有する第２のバンドパスフィルタと、
前記第１のバンドパスフィルタの可変容量ダイオードと前記第２のバンドパスフィルタの可変容量ダイオードとに前記第１と第２の制御電圧を印加する制御手段と、を備え、
前記第１と第２のバンドパスフィルタは、
前記第１と第２のバンドパスフィルタの可変容量ダイオードの容量が互いに同一であって、前記第２のゲインは前記第１のゲイン以下であり、前記第２のバンドパスフィルタの周波数−ゲイン特性は、前記第１のバンドパスフィルタの周波数−ゲイン特性よりも緩やかになる構成を有し、
前記制御手段は、
前記第１のバンドパスフィルタの可変容量ダイオードに、第１の電圧から第２の電圧の範囲内で前記第１の制御電圧を印加し、
前記第２のバンドパスフィルタの可変容量ダイオードに、第１の電圧から第２の電圧の範囲よりも狭い範囲内で前記第２の制御電圧を印加する、
ことを特徴とする。
【０００９】
前記同調回路の周波数−ゲイン特性は、例えば、前記第２のバンドパスフィルタが前記第１のバンドパスフィルタと同一の周波数−ゲイン特性を有していると仮定した場合に得られる前記同調回路の周波数−ゲイン特性よりも、
目的周波数におけるゲインが小さく、目的周波数におけるゲインと所定のノイズに対するゲインとの差が大きい。
【００１０】
前記同調回路は、前記第１のバンドパスフィルタの信号を増幅して前記第２のバンドパスフィルタに供給する増幅器を更に備えてもよい。
【発明の効果】
【００１１】
この発明によれば、同調回路の調整が容易になると共に好適なイメージ妨害特性が得られる。
【発明を実施するための最良の形態】
【００１２】
以下、本発明の一実施の形態に係るスーパヘテロダイン受信機（以下、単に受信機）１００を説明する。
【００１３】
この実施の形態の受信機１００は、図１に示すように、アンテナ１と、アンテナ（ＡＮＴ）同調回路２、高周波（ＲＦ）増幅回路３、高周波（ＲＦ）同調回路４、混合回路５、局部発振回路６、中間周波（ＩＦ）増幅回路７、復調回路８、低周波増幅回路９、スピーカ１０と、システムコントローラ１１、デジタル／アナログ変換回路（以下「Ｄ／Ａ」と略称する）回路１２，１３と、ＲＳＳＩ検出回路１４と、操作部１５と、ＥＥＰＲＯＭ１６とから構成される。
【００１４】
ＡＮＴ同調回路２は、バリキャップ（可変容量ダイオード）を含んで構成されたバンドパスフィルタから構成されており、Ｄ／Ａ１２を介して印加される制御電圧により目的周波数ｆ０に同調する。その詳細については後述する。
ＲＦ増幅回路３は、ＡＮＴ同調回路２で同調し受信した信号を増幅する。
【００１５】
ＲＦ同調回路４は、ＡＮＴ同調回路２で受信し、さらに、ＲＦ増幅回路３で増幅した信号のうち、不要な周波数帯域を減衰して出力するものである。
ＲＦ同調回路４は、バリキャップ（可変容量ダイオード）を含んで構成されたバンドパスフィルタから構成されており、Ｄ／Ａ１３を介して印加される制御電圧により目的周波数ｆ０のゲインが変化する。その詳細については後述する。
【００１６】
混合回路５は、ＲＦ同調回路４の出力した受信高周波信号と局部発振回路６から供給される局部発振信号とを混合して、高周波受信信号を中間周波数（ＩＦ）信号にダウンコンバージョンして出力する。
【００１７】
ＩＦ増幅回路７は、混合回路５の出力した中間周波信号を増幅して出力する。
【００１８】
復調回路８は、中間周波信号からベースバンド信号（ここでは音声信号）を復調して出力する。
低周波増幅回路９は、音声信号を増幅し、スピーカ１０から音声を出力する。
また、
【００１９】
システムコントローラ１１は、ＣＰＵ（中央処理装置）、メモリなどから構成され、メモリに記憶されている動作プログラムに従って、この受信機１００全体の動作を制御する。特に、システムコントローラ１１は、Ｄ／Ａ１２を介して、ＡＮＴ同調回路２に、同調周波数（目的周波数）を指示する制御電圧を供給する。
【００２０】
また、システムコントローラ１１は、Ｄ／Ａ１３を介して、ＲＦ同調回路４に、その周波数−ゲイン特性を設定するための電圧信号（目的周波数に応じてＥＥＰＲＯＭ１６に予め格納されている設定データに対応する電圧）を供給する。
【００２１】
ＲＳＳＩ検出回路１４は、アンテナ１より受信する信号の強度を測定して、測定結果をＲＳＳＩデテクト信号としてシステムコントローラ１１に出力する。
操作部１５は、操作キー等を備え、ユーザにより操作され、目的周波数等のユーザの指示をシステムコントローラ１１に供給する。
【００２２】
ＥＥＰＲＯＭ１６は、受信機１００を制御するための固定データを記憶する不揮発性メモリであり、目的周波数とＡＮＴ同調回路２に供給する電圧との関係を示すテーブルを記憶する。
また、ＥＥＰＲＯＭ１６は、この受信機１００の製造出荷時等に行われた調整に基づいて、ＲＦ同調回路４の周波数−ゲイン特性を制御するための設定データを記憶する。この設定データについては後述する。
【００２３】
次に、上述のＡＮＴ同調回路２〜ＲＦ同調回路４について詳細に説明する。
ＡＮＴ同調回路２とＲＦ同調回路４とは、図２に示すように、それぞれ、２つのバンドパスフィルタ（ＢＰＦ）２１，２２，４１、４２がカスケードに接続された構成を有する。
第１段、第２段及び第４段のＢＰＦ２１，２２，４２は、図３（ａ）に示すように通過帯域幅が比較的狭く、目的周波数ｆ０におけるＱ（共振の鋭さ）が比較的高い特性を有し、第３段のバンドパスフィルタ４１は、図３（ｂ）に示すように通過帯域幅が比較的広く、目的周波数ｆ０におけるＱが比較的低い特性を有している。
【００２４】
一例として、第１段、第２段及び第４段のＢＰＦ２１，２２，４２は、図４（ａ）に示す構成を有し、第３段のバンドパスフィルタ４１は、図４（ｂ）に示す構成を有する。
図示するように、第１段、第２段及び第４段のＢＰＦ２１，２２，４２は、コイル（インダクタ）１１１と、コンデンサ１１２と、バリキャップ１１３とコンデンサ１１４の直列回路とが並列に接続された構成と前後に接続されたコンデンサ１１５，１１６を有し、制御端子１１８から容量制御用の制御信号が抵抗１１７を介してバリキャップ１１３のカソードに印加される。
【００２５】
また、第３段のバンドパスフィルタ４１は、上述の構成に、抵抗（ダンピング抵抗）１１９を接続した構成を有する。
【００２６】
また、システムコントローラ１１は、起動時等に、予めＥＥＰＲＯＭ１６に格納されている設定データを読み出してポートＰ１〜Ｐ４から、Ｄ／Ａ１２−１，１２−２，１３−１，１３−２に供給し、ＢＰＦ２１，２２，４１，４２の制御端子１１８に対応する制御電圧を印加する。
【００２７】
この設定データは、第１、第２、第４のポートＰ１，Ｐ２，Ｐ４については、所定の範囲内の値（例えば、電圧０Ｖ〜５Ｖに対応する値）であり、第３のポートＰ３については、前記所定の範囲内のうちの一部の範囲内の値（電圧０Ｖ〜２Ｖに対応する値）である。
【００２８】
従って、第１段、第２段、第４段のＢＰＦ２１，２２，４２の制御端子１１８には、所定の範囲（電圧０Ｖ〜５Ｖの範囲）内の電圧が印加され、第３段のＢＰＦ４１については、前記所定の範囲のうちの一部の範囲（電圧０Ｖ〜２Ｖの範囲）内の電圧が印加される。
【００２９】
このような構成の差により、第１段、第２段及び第４段のＢＰＦ２１，２２，４２は、制御端子１１８に、共振周波数が目的周波数ｆ０となるように、バリキャップ１１３の容量を制御する制御電圧が印加されると、図３（ａ）に模式的に示す周波数−ゲイン特性を示す。
また、第３のバンドパスフィルタ４１は、制御端子１１８に、共振周波数が目的周波数ｆ０となるように、バリキャップ１１３の容量を制御する制御電圧が印加されると、図３（ｂ）に模式的に示す周波数−ゲイン特性を示す。
【００３０】
このように、ＢＰＦ２１〜４２がカスケードに接続され、ＢＰＦ４１の制御端子１１８に印加される制御電圧が取りうる値の範囲を、ＢＰＦ２１，２２，４２の制御端子に印加される制御電圧が取りうる値の範囲の一部とした結果、ＲＳＳＩデテクト信号が最大となるとき、高周波回路全体（ＡＮＴ同調回路２、ＲＦ増幅回路３、ＲＦ同調回路４）としては、図５（ａ）に示す周波数−ゲイン特性を示す。
【００３１】
仮に、第３段のＢＰＦ４１の制御端子１１８へ印加する制御電圧の範囲が第１段、第２段、第４段のＢＰＦ２１，２２，４２と同一の制御電圧の範囲とすると、その特性は、図５（ｂ）に示すような比較的平坦な特性を示す。これに対し、周波数ーゲインのピークが相対的に低く、周波数−ゲインのカーブが比較的穏やかな特性を有する第３段のＢＰＦ４１の制御端子へ印加する制御電圧の範囲に制限をかけて、目的周波数ｆ０に対するＲＳＳＩデテクト信号が最大となるように調整を行う。
【００３２】
このため、高周波回路全体としては、図５（ａ）に示すように、ピークゲインは図５（ｂ）の特性よりもＤＣだけわずかに低いが、ピークゲインとＩＦ／２イメージ信号に対応する周波数（ｆ０＋ＩＦ／２）でのゲインの差がＤＢからＤＡに大きくなっている。適切に調整することにより、ＤＡ＞ＤＢ＞＞ＤＣが成立する。
【００３３】
このため、図６に示すような周波数関係にある目的周波数ｆ０とＩＦ／２イメージ信号とについて検討すると、目的周波数をゲインに着目して調整した場合と比較して遜色なく増幅しつつ、ＩＦ／２イメージ信号を十分に減衰することができ、目的周波数ｆ０でのゲインがほぼ最大となるように制御しつつ、目的信号とＩＦ／２イメージ信号との強度の比（すなわち、イメージ妨害比）を十分に大きくとることができる。他のイメージ信号やノイズ、例えば、２ＩＦイメージ信号等についても同様に減衰することが可能である。
【００３４】
次に、上記構成の受信機１００の動作を説明する。
電源が投入されると、システムコントローラ１１は、ＥＥＰＲＯＭ１６から目的周波数ｆ０に対応する設定データ１〜設定データ４を読み出し、ポートＰ１〜Ｐ４から、Ｄ／Ａ１２−１〜１３−２を介して第１段〜第４段のＢＰＦ２１〜４２の制御端子１１８に印加する。これにより、第１段〜第４段のＢＰＦ２１〜４２は、それぞれ図３（ａ）又は（ｂ）に示すような所望の特性に設定されているので、全体としては、図５（ａ）に示す特性に設定される。
【００３５】
これにより、ＡＮＴ同調回路２は、目的周波数ｆ０に同調し、目的周波数ｆ０をほぼ中心とする一定帯域の信号を受信してＲＦ増幅回路３に供給する。
【００３６】
ＲＦ増幅回路３は、ＡＮＴ同調回路２で受信された信号を増幅してＲＦ同調回路４に供給する。
ここで、周知のように、受信信号は、目的信号、イメージ信号、さらには、ハーフイメージ信号を含む。ハーフイメージ信号は、ＩＦ／２イメージ信号とも呼ばれ、ＲＦ信号（目的周波数ｆ０）からＩＦ／２だけ離れた位置に生ずる信号である。
【００３７】
ＲＦ同調回路４は、Ｄ／Ａ１３−１，１３−２から供給される制御電圧に対応するフィルタリング特性で、入力信号をフィルタリングする。
【００３８】
上述したように、高周波回路全体（２〜４）では、目的信号の周波数ｆ０近傍のゲインは、その構造から得られる最高値よりも若干（図５では、ＤＣ）低いが、目的周波数でのゲインとＩＦ／２イメージ点でのゲイン差ＤＡが十分に大きいので、目的信号を遜色なく増幅しつつＩＦ／２イメージ信号を十分に減衰して、高いイメージ妨害比を有する新信号を生成して混合回路５に出力する。
【００３９】
局部発振回路６は、システムコントローラ１１により指示された周波数で発振しており、混合回路５は、ＲＦ同調回路４から出力された高周波信号と局部発振回路６からの局部発振信号とを混合し、所定周波数の中間周波数信号を出力する。
中間周波増幅回路７は、この中間周波数信号のうち目的信号の周波数を抽出及び増幅し、ノイズを含む不要信号を減衰して、出力する。
【００４０】
復調回路８は、音声信号を復調して出力する。
低周波増幅回路９は、音声信号を増幅してスピーカ１０に供給する。スピーカ１０は、音声信号を空気振動に変換して放音する。
【００４１】
このようにして、受信機１００は、目的信号を十分に増幅しつつＩＦ／２イメージ信号をはじめ２ＩＦイメージ信号やノイズを十分に減衰して、高いイメージ妨害比の信号を生成して混合回路５に出力する。
【００４２】
次に、受信機１００の調整方法について具体的に説明する。
ＥＥＰＲＯＭ１６には、製造時にデフォルト値が記録され、続いて、出荷時等にこのデフォルト値が微調整される。
まず、調整担当者は、目的周波数ｆ０を送信する送信機を起動し、受信機１００に受信させる。
【００４３】
続いて、例えば、操作部１５より、システムコントローラ１１に、調整動作の開始を指示する。この指示に応答して、システムコントローラ１１は、図７に示す高周波同調回路調整動作を開始する。
【００４４】
まず、システムコントローラ１１は、ＲＳＳＩの最大値として初期値０又は負の値を設定する（ステップＳ１０）。
【００４５】
次に、システムコントローラ１１は、ポートＰ１〜Ｐ４から、４つのＢＰＦ２１〜４２に制御電圧を印加するＤ／Ａ１２−１〜１３−２に、共通の最小値（この例では０）を示す設定データを初期値として供給する（ステップＳ１１）。Ｄ／Ａ１２−１〜１３−２は、供給された設定データを共通の制御電圧に変換し、対応するＢＰＦ２１〜４２の制御端子１１８に印加する。
【００４６】
システムコントローラ１１は、ＲＳＳＩ検出回路１４の出力を取り込み、予め記憶されているＲＳＳＩ値の最大値より大きいか否かを判別し、大きければ、Ｄ／Ａ１２−１〜１３−２に供給した設定データとＲＳＳＩ検出回路１４の測定値とを対応付けて従前のデータに上書きして記憶する（ステップＳ１２）。
【００４７】
次に、システムコントローラ１１は、設定データが最終値（最大値）であるか否かを判別する（ステップＳ１３）。この例では、設定データが５Ｖに対応する値であるか否かを判別する。
【００４８】
システムコントローラ１１は、設定データが最終値では無いと判別した場合（ステップＳ１３；Ｎｏ）、設定データに予め設定されているピッチ（微少値）Ｄｐを加算して、各Ｄ／Ａ１２−１〜１３−２にポートＰ１〜Ｐ４から供給する（ステップＳ１４）。ただし、ポートＰ３からＤ／Ａ１３−１に出力する設定データは、上限値（例えば、２Ｖ）が制限されているので、上限値に達した後は、そのデータ（値）を維持する。
【００４９】
その後、制御はステップＳ１２に進み、同様の処理を繰り返す。
【００５０】
上記の処理を繰り返し、設定データが、上限値（例えば、５Ｖ）に対応する値（但し、ポートＰ３からの設定データは制限された上限値（例えば、２Ｖに対応する設定データ））に達すると、ステップＳ１３でＹｅｓと判別される。
【００５１】
システムコントローラ１１は、内部メモリに記録されているＲＳＳＩの最大値に対応する設定データを、ポートＰ１〜Ｐ４から出力し、Ｄ／Ａ１２−１〜１３−２に対応する制御電圧を出力させ、ＢＰＦ２１〜４２の制御端子１１８に供給する（ステップＳ１５）。
【００５２】
次に、システムコントローラ１１は、４つのＢＰＦ２１〜４２のいずれかを特定するポインタＩに初期値の１を設定する（ステップＳ１６）。
【００５３】
次に、システムコントローラ１１は、第Ｉ段のＢＰＦについて、ＲＳＳＩの最大値として初期値０又は負の値を設定する（ステップＳ１７）。
【００５４】
続いて、システムコントローラ１１は、第ＩのポートＰＩ（当初は第１のポートＰ１）から、最小値を示す設定データを出力する。なお、他のポートからは従前の設定データをそのまま出力し続ける。当初はＩ＝１であるから、第１のポートＰ１から、Ｄ／Ａ１２−１に制御電圧０Ｖに対応する設定データを出力する（ステップＳ１８）。
【００５５】
システムコントローラ１１は、ＲＳＳＩ検出回路１４からＲＳＳＩデテクト信号を取り込み、内部メモリに予め記憶している第ＩについてのＲＳＳＩ値の最大値と比較し、今回のＲＳＳＩ値の方が大きければ、今回ポートＰＩから出力した設定データとＲＳＳＩ検出回路１４が測定したＲＳＳＩ値とを対応付けて記憶する（ステップＳ１９）。
【００５６】
次に、システムコントローラ１１は、設定データが最終値（最大値）であるか否かを判別する（ステップＳ２０）。すなわち、Ｉ＝１，２，４のときは設定データが最大値（例えば、５Ｖ）を示すデータ値であるか否かを判別し、Ｉ＝３のときは設定データが限定された範囲内での最大値（例えば、２Ｖ）に対応する値を示すデータであるか否かを判別する。
【００５７】
システムコントローラ１１は、設定データが最終値では無いと判別した場合（ステップＳ２０；Ｎｏ）、設定データに予め設定されているピッチ（微少値）Δを加算して、第ＩのポートＰＩから出力する（ステップＳ２１）。
【００５８】
その後、制御はステップＳ１９に進み、同様の処理を繰り返す。
上記の処理を繰り返し、設定データが上限値（例えば、５Ｖ又は２Ｖ）に対応する値に達すると、ステップＳ２０でＹｅｓと判別される。
【００５９】
システムコントローラ１１は、第Ｉ段のＢＰＦについて、最大のＲＳＳＩ値が得られたときの設定データを、第ＩのポートＰＩから出力すると共に第Ｉ段のＢＰＦについて、すなわち、ポートＰＩから出力する設定データとして、ＥＥＰＲＯＭ１６に格納する。
【００６０】
次に、システムコントローラ１１は、ポインタＩが最終値（この例では、４）であるか否かを判別し（ステップＳ２３）、Ｉが４でなければ（ステップＳ２３；Ｎｏ）、Ｉを＋１して（ステップＳ２４）、ステップＳ１７に進み、同様の処理を繰り返す。
【００６１】
このようにして、全てのＩ、すなわち、全てのＢＰＦについての処理が終了すると、ＥＥＰＲＯＭ１６には、各段のＢＰＦについて設定データが記憶される。
【００６２】
以上で、受信機１００を調整する処理は終了する。
【００６３】
なお、目的周波数が複数存在する場合には、目的周波数別に受信機１００の調整を行って、目的周波数別に設定データをＥＥＰＲＯＭ１６に格納しておき、設定された目的周波数に応じて対応する設定データをＥＥＰＲＯＭ１６から読み出して、ポートＰ１〜Ｐ４から出力してＢＰＦ２１〜４２の特性を設定すればよい。
【００６４】
以上説明したように、この実施の形態のシステムによれば、ＲＦ同調回路４をゲイン最大点に基づいて調整しつつ、高いイメージ妨害比の出力信号を得ることができる。
また、制御電圧の範囲制限をシステムコントローラ１１で行うことで、範囲制限を任意に切り替え（オン／オフ）することが可能であり、また、電圧範囲も任意且つ容易に変更可能である。
【００６５】
この発明は上記実施の形態に限定されず、種々の変形及び応用が可能である。
例えば、上記実施の形態では、ＲＦ同調回路４を構成するＢＰＦを４段の構成としたが、２段、３段、或いは、５段以上としてもよい。
【００６６】
また、ＲＦ増幅回路３の直後のＢＰＦ４１をブロードな特性としたが、他のＢＰＦの特性をブロードとしてもよく、ブロードとするＢＰＦが複数でもかまわない。ただし、ブロードとしたＢＰＦに与える制御電圧の範囲を他の制御電圧に比べて制限するものとする。
また、図４（ａ）、（ｂ）に示したＢＰＦの構成は、一例であり、既知の任意の構成を利用可能である。
また、説明した受信機の調整方法も一例であり、ＲＳＳＩに基づいて適切な設定データが得られるならば、適宜変更可能である。
【図面の簡単な説明】
【００６７】
【図１】本発明の実施形態に係る受信機の構成を示すブロック図である。
【図２】図１に示すＲＦ同調回路の構成例を示す図である。
【図３】（ａ）と（ｂ）は、図２に示すＢＰＦの特性を示す図である。
【図４】（ａ）と（ｂ）は、図２に示すＢＰＦの構成の例を示す図である。
【図５】図１に示すＲＦ同調回路の特性の例の示す図であり、（ａ）は本実施形態での特性、（ｂ）は従来の構成での特性である。
【図６】受信信号の周波数分布を示す図である。
【図７】受信回路を調整する手順を示すフローチャートである。
【符号の説明】
【００６８】
１  アンテナ  
２  アンテナ（ＡＮＴ）同調回路
３  高周波（ＲＦ）増幅回路
４  高周波（ＲＦ）同調回路
５  混合回路
６  局部発振回路
７  中間周波増幅回路
８  復調回路
９  低周波増幅回路
１１  システムコントローラ
１２  Ｄ／Ａ変換回路
１３  Ｄ／Ａ変換回路
１４  ＲＳＳＩ検出回路
１５  操作部
１６  ＥＥＰＲＯＭ
１００  受信機  
【図１】
0004883001.tif 000002
【図２】
0004883001.tif 000003
【図３】
0004883001.tif 000004
【図４】
0004883001.tif 000005
【図５】
0004883001.tif 000006
【図６】
0004883001.tif 000007
【図７】
0004883001.tif 000008